(57)【特許請求の範囲】
【請求項１】
アウターチューブと、該アウターチューブ内を押引き可能に挿通するインナーワイヤとでなるレリースワイヤによる遠隔操作式排水栓装置において、インナーワイヤの端部の押引き操作をするスライドプレート又は回転プレートが操作部材に載置され、該操作部材にアウターチューブの端部を固定し、その操作部材には、その内部にインナーワイヤを摺動ガイドして方向転換する彎曲した又は渦巻いたガイド孔が形成され、該操作部材のガイド孔を摺動するインナーワイヤが、そのガイド孔により操作方向転換して押引きされることを特徴とする操作部構造。
【請求項２】
操作部材が複数部材片で構成され、該部材片のその接合面には彎曲するガイド溝部分を形成し、これら各部材片が接合組合せられることにより、ガイド溝部分による彎曲した又は渦巻いたガイド孔を形成し、該ガイド孔に挿通されたインナーワイヤが、そのガイド孔により操作方向転換して押引きされることを特徴とする請求項１記載の操作部構造。
【請求項３】
操作部材に、突起を裏面に形成したスライドプレートが載置され、該スライドプレートのスライド移動による突起の移動で、インナーワイヤの端部の押引きをし、該インナーワイヤが摺動ガイドされる操作部材の彎曲状ガイド孔によって操作方向転換して押引きされることを特徴とする請求項１乃至２のいずれか１項に記載の操作部構造。
【請求項４】
操作部材に、突起を裏面に形成した回転プレートが載置され、該回転プレートの回転による突起の回転移動で、インナーワイヤの端部の押引きをし、該インナーワイヤが摺動ガイドされる操作部材の渦状ガイド孔によって操作方向転換して押引きされることを特徴とする請求項１乃至２のいずれか１項に記載の操作部構造。
【請求項５】
アウターチューブと、該アウターチューブ内を押引き可能に挿通するインナーワイヤとでなるレリースワイヤによる遠隔操作式排水栓装置において、インナーワイヤの端部の押引き操作をする回転プレートが操作部ケースに嵌着された筒体状操作部材に備えられ、該筒体状操作部材にアウターチューブの端部を固定し、該筒体状操作部材には、その外周面にインナーワイヤを摺動ガイドして方向転換する彎曲したガイド溝が形成され、該筒体状操作部材のガイド溝を摺動するインナーワイヤが、そのガイド溝により操作方向転換して押引きされることを特徴とする操作部構造。
【発明の詳細な説明】
【技術分野】
【０００１】  本発明は、浴槽、洗面台及び流し台などにおけるレリースワイヤによる遠隔操作がされる遠隔操作式排水栓装置のその操作部構造に関するものである。
【背景技術】
【０００２】  従来、浴槽、洗面台及び流し台などのレリースワイヤを用いて遠隔操作する排水栓の開閉は、押釦によるアウターチューブ内を摺動するインナーワイヤの押引きによっての操作であった。
しかし、レリースワイヤを用いて遠隔操作する遠隔操作式排水栓装置において、押釦を使用せずに、回転つまみによる回転操作で遠隔操作するものがある。この回転つまみによる回転操作で遠隔操作する操作部は、回転つまみによる回転ドラムの回転でアウターチューブ内のインナーワイヤが押引きされて操作をさせる回転ドラム式操作部である。
この回転ドラム式操作部は、操作部ケースには、レリースワイヤのアウターチューブが接続され、回転つまみで回転される回転ドラムを内蔵し、アウターチューブ内に挿通するインナーワイヤが回転ドラムの外周部に係止され、回転つまみによる回転ドラムの回転でインナーワイヤを巻き取り、又は巻き戻しし、この巻き取り、又は巻き戻しによってアウターチューブ内をインナーワイヤが押引きされて、排水栓の開閉の操作をするものである（特許文献１）。【０００３】  また、レリースワイヤを用いて遠隔操作する操作部には、水槽のエプロン部上面などに設けられた支軸に軸支されたレバーが押込み、引戻しされ、操作杆を介してレバーの作用点部とインナーワイヤとが継続されていることによって、レバーの押込み、引戻しによる操作でインナーワイヤの押引き操作をするレバー式操作部がある（特許文献２）。
【先行技術文献】
【特許文献】
【０００４】
【特許文献１】  実開昭５７−１９７５６４
【特許文献２】  登録実用新案第３０４９２８０
【発明の概要】
【発明が解決しようとする課題】
【０００５】  押釦によるレリースワイヤのアウターチューブ内を摺動するインナーワイヤの押引きで、排水栓の開閉がされる遠隔操作式排水栓装置は、アウターチューブ内のインナーワイヤを円滑に摺動させるには、レリースワイヤが屈曲されないようにすることであって、押釦の取付壁面裏の奥行きが狭い空間であると、押釦自身の構造が比較的長いので、レリースワイヤを屈曲迄もいかないにしても極度に弯曲させなければならなく、アウターチューブ内におけるインナーワイヤの摺動をアウターチューブによる圧接で困難にしている。【０００６】  そこで、操作部の取付壁面裏の奥行きが狭い空間であっても、回転つまみによる回転ドラムの回転でインナーワイヤを巻き取り、巻き戻しして押引きする回転ドラム式操作部を採用し、インナーワイヤの押引き方向が取付壁面と並行されるので、該取付壁面裏の奥行きの狭い空間であってもよく、取付けに支障ないことは好都合である。しかし、この回転ドラム式操作部は、インナーワイヤの押引きを効率的にするには、回転ドラム自体の幅丈を大きくし、結果的には、回転つまみ、回転ドラムの配置空間が大きくされる必要を生じ、不都合である。【０００７】  また、水槽のエプロン部上面などに設けられたレバーの押込み、引戻しでインナーワイヤを押引きするレバー式操作部の場合は、レバーと、該レバーを軸支する支軸とが位置される空間を必要とし、円滑な操作がされるには、レバーをかなり大きくし、その占める空間をも大きく要し、且つ露出部分が多く、見栄え悪い上、不衛生で、更に露出したレバーには指を挟み込む恐れもあって安全性に欠けている。【０００８】  そこで、本発明はレリースワイヤのアウターチューブ内を摺動するインナーワイヤの押引きで、排水栓の開閉がされる遠隔操作式排水栓装置において、その操作部取付壁面裏の奥行きが狭い空間で、レリースワイヤを屈曲又は極度な弯曲させざるを得ない場合でも、操作部には、インナーワイヤを摺動ガイドして方向転換するガイド孔が形成された操作部材を備え、レリースワイヤの屈曲又は極度な弯曲をさせないようにインナーワイヤの押引き操作方向転換がされることを目的とする。
【課題を解決するための手段】
【０００９】  本発明の操作部構造は、アウターチューブと、該アウターチューブ内を押引き可能に挿通するインナーワイヤとでなるレリースワイヤによる遠隔操作式排水栓装置において、インナーワイヤの端部の押引き操作をするスライドプレート又は回転プレートが操作部材に載置され、該操作部材にアウターチューブの端部を固定し、その操作部材には、その内部にインナーワイヤを摺動ガイドして方向転換する弯曲した又は渦巻いたガイド孔が形成され、該操作部材のガイド孔を摺動するインナーワイヤが、そのガイド孔により操作方向転換して押引きされるものである。【００１０】  本発明の操作部構造は、操作部材が複数部材片で構成され、該部材片のその接合面には彎曲するガイド溝部分を形成し、これら各部材片が接合組合せられることにより、ガイド溝部分による彎曲した又は渦巻いたガイド孔を形成し、該ガイド孔に挿通されたインナーワイヤが、そのガイド孔により操作方向転換して押引きされるものである。【００１１】  本発明の操作部構造は、操作部材に、突起を裏面に形成したスライドプレートが載置され、該スライドプレートのスライド移動による突起の移動で、インナーワイヤの端部の押引きをし、該インナーワイヤが摺動ガイドされる操作部材の弯曲状ガイド孔によって操作方向転換して押引きされるものである。【００１２】  本発明の操作部構造は、操作部材に、突起を裏面に形成した回転プレートが載置され、該回転プレートの回転による突起の回転移動で、インナーワイヤの端部の押引きをし、該インナーワイヤが摺動ガイドされる操作部材の操作ガイド孔によって操作方向転換して押引きされるものである。【００１３】  本発明の操作部構造は、アウターチューブと、該アウターチューブ内を押引き可能に挿通するインナーワイヤとでなるレリースワイヤによる遠隔操作式排水栓装置において、インナーワイヤの端部の押引き操作をする回転プレートが操作部ケースに嵌着された筒体状操作部材に備えられ、該筒体状操作部材にアウターチューブの端部を固定し、該筒体状操作部材には、その外周面にインナーワイヤを摺動ガイドして方向転換する彎曲したガイド溝が形成され、該筒体状操作部材のガイド溝を摺動するインナーワイヤが、そのガイド溝により操作方向転換して押引きされるものである。
【発明の効果】
【００１４】  本発明の操作部構造は、インナーワイヤを摺動ガイドして方向転換する彎曲した又は渦巻いたガイド孔が形成された操作部材を備えることによって、スライドプレート又は回転プレートによるインナーワイヤの端部の押引き操作がこのガイド孔によって操作方向転換され、操作部の取付壁面裏の奥行きが狭い空間で、操作部に継続するレリースワイヤが止むを得ず、屈曲又は極度な彎曲させられる、インナーワイヤの押引きを困難にさせるような場合でも、ガイド孔による操作方向転換によってインナーワイヤの押引き操作を簡単且つ容易に、しかも、ガイド孔の形態を変更すれば、操作方向転換を任意に変更することができる。
よって、どんなに悪い取付条件の場所でも、この操作部は、操作部材のガイド孔の形態を変更するだけで、容易に取付設置することができるものである。【００１５】  本発明の操作部構造は、操作部材が複数部材片で構成され、該部材片のその接合面には彎曲するガイド溝を形成し、これら各部材片が接合組合せることによって、ガイド溝による彎曲した又は渦巻いたガイド孔を形成し、該ガイド孔によって、スライドプレート又は回転プレートによるインナーワイヤの端部の押引き操作が操作方向転換される押引き操作にできる。
よって、複数部材片の接合面に彎曲するガイド溝を形成するだけで、これらが接合組合せされることにより多種多様なガイド孔形態にされ、インナーワイヤの端部の押引き操作をもって種々多様な操作方向転換に変更することが、簡単且つ容易に出来ることになる。【００１６】  本発明の操作部構造は、突起を裏面に形成したスライドプレートが操作部材に載置され、該スライドプレートの突起の移動でインナーワイヤ端部の押引きがされ、操作部材のガイド孔による単純且つ簡単な構造で操作方向転換した押引きの操作ができ、条件の悪い操作部取付場所であっても、円滑な操作のできる取付を可能とする。【００１７】  本発明の操作部構造は、突起を裏面に形成した回転プレートが操作部材に載置され、該回転プレートの回転でインナーワイヤ端部の押引きがされ、操作部材のガイド孔による単純且つ簡単な構造で操作方向転換した押引きの操作ができ、条件の悪い狭隘な場所でも取付を可能とし、円滑な操作にすることができる。【００１８】  本発明の操作部構造は、インナーワイヤを摺動ガイドして方向転換するガイド溝を外周面に形成した筒体状操作部材が操作部ケースに嵌着され、狭隘な限られた空間での取付けであっても、単純で簡単な操作を容易に出来、且つ、正確、確実に出来、筒体状操作部材故に、取付けによって、排水空間が削がれることのなく、至便性がよい。
【図面の簡単な説明】
【００１９】
【図１】  スライドプレートのスライド移動によりインナーワイヤが操作方向転換して押引きされる操作部の縦断面図である。
【図２】  スライドプレートのスライド移動によりインナーワイヤが操作方向転換して押引きされる操作部の一部の断面の上面図である。
【図３】  スライドプレートのスライド移動によりインナーワイヤが操作方向転換して押引きされる操作部の上面図である。
【図４】  スライドプレートのスライド移動でインナーワイヤを操作方向転換して押引きする操作部材が、インナーワイヤを摺動ガイドするガイド孔で分割された部材片の分割面図である。
【図５】  スライドプレートのスライド移動でインナーワイヤを操作方向転換して押引きする操作部材が、インナーワイヤを摺動ガイドするガイド孔で分割された部材片の上面図である。
【図６】  スライドプレートのスライド移動でインナーワイヤを操作方向転換して押引きする操作部材が、インナーワイヤを摺動ガイドするガイド孔で分割された部材片の側面図である。
【図７】  スライドプレートのスライド移動でインナーワイヤを操作方向転換して押引きする操作部材がインナーワイヤを摺動ガイドするガイド孔で分割された部材片の下面図である。
【図８】  回転プレートの回転移動によりインナーワイヤが操作方向転換して押引きされる操作部の縦断面図である。
【図９】  回転プレートの回転移動によりインナーワイヤが操作方向転換して押引きされる操作部の上方の横断面図である。
【図１０】  回転プレートの回転移動によりインナーワイヤが操作方向転換して押引きされる操作部の上面図である。
【図１１】  回転プレートの回転移動でインナーワイヤを操作方向転換して押引きする操作部材が、インナーワイヤを摺動ガイドするガイド孔で分割された一方の部材片の分割面図である。
【図１２】  回転プレートの回転移動でインナーワイヤを操作方向転換して押引きする操作部材がインナーワイヤを摺動ガイドするガイド孔で分割された一方の部材片の上面図である。
【図１３】  回転プレートの回転移動でインナーワイヤを操作方向転換して押引きする操作部材がインナーワイヤを摺動ガイドするガイド孔で分割された一方の部材片の側面図である。
【図１４】  回転プレートの回転移動でインナーワイヤを操作方向転換して押引きする操作部材がインナーワイヤを摺動ガイドするガイド孔で分割された一方の部材片の下面図である。
【図１５】  回転プレートの回転移動でインナーワイヤを操作方向転換して押引きする操作部材が、インナーワイヤを摺動ガイドするガイド孔で分割された他方の部材片の分割面図である。
【図１６】  回転プレートの回転移動でインナーワイヤを操作方向転換して押引きする操作部材がインナーワイヤを摺動ガイドするガイド孔で分割された他方の部材片の上面図である。
【図１７】  回転プレートの回転移動でインナーワイヤを操作方向転換して押引きする操作部材がインナーワイヤを摺動ガイドするガイド孔で分割された他方の部材片の側面図である。
【図１８】  回転プレートの回転移動でインナーワイヤを操作方向転換して押引きする操作部材がインナーワイヤを摺動ガイドするガイド孔で分割された他方の部材片の下面図である。
【図１９】  操作部ケースに排水可能とした筒体状操作部材を嵌着し、回転プレートの回転移動によりインナーワイヤが操作転換して押引きされる操作部の縦断面図である。
【図２０】  操作部ケースに排水可能とした筒体状操作部材を嵌着し、回転プレートの回転移動によりインナーワイヤが操作転換して押引きされる操作部の上方の横断面図である。
【図２１】  操作部ケースに排水可能とした筒体状操作部材を嵌着し、回転プレートの回転移動によりインナーワイヤが操作転換して押引きされる操作部の上面図である。
【発明を実施するための形態】
【００２０】  本発明のアウターチューブと、該アウターチューブ内を押引き可能に挿通するインナーワイヤとでなるレリースワイヤによる遠隔操作式排水栓装置における操作部は、図１、図２、図８及び図９で示す如く、操作部材１，２が操作部ケース４に収納され、該操作部ケースを取付壁面５に締着部材６で締着する。
操作部材１，２には、アウターチューブ３１の端部が固定され、この操作部材１，２の内部に、アウターチューブ３１の端部が固定された所からインナーワイヤ３２を摺動ガイドする彎曲した、又は渦巻いたガイド孔１１，２１が形成されている。
操作部材１，２のガイド孔１１，２１を摺動するインナーワイヤ３２が、そのインナーワイヤの端部をスライドプレート１０又は回転プレート２０によって押引き操作することにより、操作方向転換して押引きされる。
よって、彎曲した、又は渦巻いたガイド孔１１，２１を形成した操作部材１，２が備えられた操作部は、スライドプレート又は回転プレートによるインナーワイヤ３２の端部が押引きされると、ガイド孔１１，２１によるインナーワイヤ３２のガイド摺動により操作方向転換され、操作部を取付壁面５に取付けたときに、インナーワイヤ３２の押引き操作を、屈曲又は極度な彎曲による押引き操作を困難にすることなく円滑な押引きにすることができ、使用勝手がよいことになる。
【００２１】  そして、操作部材１，２は、図４乃至図７、又は図１１乃至図１８に示す如く、ガイド孔１１，２１部分で分割された左右部材片１２，１３（図示されず）、２２，２３、及びスライドプレート１０、又は回転プレート２０の複数部材片で構成され、該部材片には、それらの接合面１６，２６に彎曲するガイド溝１７，２７を形成し、これらの左右部材片１２，１３，２２，２３、及びスライドプレート１０、又は回転プレート２０が接合組合せられることにより、ガイド溝１７，２７によって彎曲した、又は渦巻いたガイド孔１１，２１を形成し、該ガイド孔に挿通されたインナーワイヤ３２が、スライドプレート１０、又は回転プレート２０によるインナーワイヤの端部の押引き操作を操作方向転換して押引きされる。
よって、インナーワイヤ３２の操作方向転換が、操作部材１，２による摺動ガイドするガイド孔１１，２１によって行なわれ、しかも、ガイド孔１１，２１をそのガイド孔１１，２１部分で分割された左右部分片１２，１３，２２，２３、及びスライドプレート１０、又は回転プレート２０による複数部材片の接合面１６，２６に形成されたガイド溝１７，２７の接合組合せで彎曲した、又は渦巻いたガイド孔１１，２１が形成できるので、何の困難もなく、操作方向転換した押引きができ、いとも容易且つ簡単に、そして、安価にできることになる。
【実施例１】
【００２２】  スライドプレート１０のスライド移動で、インナーワイヤ３２の押引きがされる操作部は、図１に示すが如く、取付壁面５に取付けられ、該操作部は、図１乃至図３に示すが如く、操作部ケース４に収納された操作部材１と、該操作部材に載置された、裏面１４に突起１５を形成したスライドプレート１０とでなり、レリースワイヤ３のアウターチューブ３１の端部が固定された操作部材１内には、インナーワイヤ３２を挿通して摺動ガイドする弯曲したガイド孔１１が形成され、スライドプレート１０のスライド移動による突起１５の移動で、インナーワイヤ３２の端部の押引きをし、該インナーワイヤが摺動ガイドされる操作部材１の弯曲状ガイド孔１１によって操作方向転換して押引きされるものである。【００２３】  スライドプレート１０のスライド移動によって押引き操作方向転換をするガイド孔１１が形成された操作部材１は、図１、図４乃至図７に示す如く、ガイド孔１１部分で分割された、スライドプレート１０、左部材片１２、及び、これに相対する半分部分の右部材片（図示されず）とで構成され、各部材片の接合面１６に形成された、ガイド溝１７を接合組合せることによってガイド孔１１が形成される。
ガイド溝１７は、半分の左部材片１２と、これに相対する残り半分の右部材片との接合面１６に形成された弯曲したガイド溝１７１と、スライドプレート１０の接合面である上面の直線状ガイド溝１７２とでなり、該ガイド溝が各部材片を接合組合せることによって弯曲したガイド孔１１を形成し、操作部材１内に、困難なく、いとも簡単且つ容易にガイド孔１１を形成することができる。
【実施例２】
【００２４】  回転プレート２０の回転によりインナーワイヤ３２の押引きがされる操作部は、図８乃至図１０に示す如く、操作部材２が操作部ケース４に収納されて取付壁面５に取付けられ、レリースワイヤ３のアウターチューブ３１の端部が固定された操作部材２内には、インナーワイヤ３２を挿通して摺動ガイドする渦巻いたガイド孔２１が形成され、裏面２４に形成した回転プレート２０の突起２５の回転移動で、インナーワイヤ３２の端部を押引きし、該インナーワイヤが、摺動ガイドされる操作部材２の渦巻いたガイド孔２１によって方向転換して押引きされるものである。【００２５】  回転プレート２０の回転によって押引き操作方向転換をする渦巻いたガイド孔２１が形成された操作部材２は、図１１乃至図１８に示す如く、ガイド孔２１部分で分割された、回転プレート２０と、左部材片２２と、これと相対する右部材片２３とでなり、回転プレート２０が裏面２４に突起２５を形成して、該突起が、左右部材片２２、２３の上面に形成するガイド溝２７１をなぞって回転され、この回転でガイド溝２７１内にあって、結合固定したインナーワイヤ３２の端部を押引きするものである。
左部材片２２は、操作部材２の軸中心面で二分割してその二分割された上方が弯曲させられた凹状面とする接合面２６を形成し、該接合面には上面のガイド溝２７１と連携する弯曲したガイド溝２７２が形成されている。
右部材片２３は、操作部材２の軸中心面で二分割して上方が弯曲させられた凸状面とする前記左部材片２２と相対する接合面２６を形成し、該接合面には、上面のガイド溝２７１と連携する弯曲したガイド溝２７２が形成されている。
そして、これを回転プレート２０、左部材片２２、右部材片２３が各々の接合面２６を接合させることによって、インナーワイヤ３２を摺動ガイドする渦巻き状ガイド孔２１が前記ガイド溝２７により形成されることになる。
【実施例３】
【００２６】  本発明のアウターチューブと、該アウターチューブ内を押引き可能に挿通するインナーワイヤとでなるレリースワイヤによる遠隔操作式排水栓装置における操作部は、図１９、図２０、及び図２１で示す如く、筒体状操作部材７がオーバーフロー排水口金具等の操作部ケース８に嵌着され、該操作部ケースを槽壁面等の取付壁面５に締結部材６で締着する。
筒体状操作部材７には、アウターチューブ３１の端部が固定され、その外周面及び頂面にインナーワイヤ３２を摺動ガイドして方向転換する弯曲したガイド溝７７、７８が形成され、該筒体状操作部材のガイド溝７７、７８を摺動するインナーワイヤ３２がそのインナーワイヤの端部の回転操作によって操作方向転換して押引きされる。
よって、弯曲したガイド溝７７、７８を形成した筒体状操作部材７が備えられた操作部は、インナーワイヤ３２の端部が押引きされると、ガイド溝７７、７８によるインナーワイヤ３２のガイド摺動により操作方向転換され、インナーワイヤ３２の押引き操作を困難なく、円滑な押引きにすることが出来、取扱い易い。
アウターチューブ３１の端部が固定された排水の流れを可能とする筒体状操作部材７には、支持アーム７１を介して回転プレート９の回転軸部７２が設けられ、該回転軸部に備えられた回転支持部材７３をもって回転プレート９の回転操作が可能とされる。
回転プレート９は、回転操作によって、その裏面に形成された突起９１が回転移動し、インナーワイヤ３２の端部を押引きする。
尚、回転プレート９には、排水孔９２が穿設され、該排水孔を経て、筒体状操作部材７内を通って排水が可能とされる。
よって、オーバーフロー排水は金具等の狭隘な空間であっても、当該操作部を設置可能で、しかも困難なく容易に取付けることができ、好都合である。
【符号の説明】
【００２７】１        操作部材
１０      スライドプレート
１１      ガイド孔（弯曲した）
１２      左部材片
１４      裏面
１５      突起
１６      接合面
１７      ガイド溝
１７１    弯曲したガイド溝
１７２    直線状ガイド溝
２        操作部材
２０      回転プレート
２１      ガイド孔（渦巻いた）
２２      左部材片
２３      右部材片
２４      裏面
２５      突起
２６      接合面
２７      ガイド溝
２７１    上面に形成するガイド溝
２７２    弯曲したガイド溝
３        レリースワイヤ
３１      アウターチューブ
３２      インナーワイヤ
４        操作部ケース
５        取付壁面
６        締着部材
７        筒体状操作部材
７１      支持アーム
７２      回転軸部
７３      回転支持部材
７７      ガイド溝
７８      ガイド溝
８        操作部ケース（オーバーフロー排水口金具）
９        回転プレート
９１      突起
９２      排水孔
【図１】
0005850213.tif 000002
【図２】
0005850213.tif 000003
【図３】
0005850213.tif 000004
【図４】
0005850213.tif 000005
【図５】
0005850213.tif 000006
【図６】
0005850213.tif 000007
【図７】
0005850213.tif 000008
【図８】
0005850213.tif 000009
【図９】
0005850213.tif 000010
【図１０】
0005850213.tif 000011
【図１１】
0005850213.tif 000012
【図１２】
0005850213.tif 000013
【図１３】
0005850213.tif 000014
【図１４】
0005850213.tif 000015
【図１５】
0005850213.tif 000016
【図１６】
0005850213.tif 000017
【図１７】
0005850213.tif 000018
【図１８】
0005850213.tif 000019
【図１９】
0005850213.tif 000020
【図２０】
0005850213.tif 000021
【図２１】
0005850213.tif 000022